【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
第１始動領域を遊技媒体が通過したことにもとづいて第１識別情報の可変表示を行い、第２始動領域を遊技媒体が通過したことにもとづいて第２識別情報の可変表示を行い、遊技者にとって有利な有利状態に制御可能な遊技機であって、
遊技の進行を制御する遊技制御手段と、
前記遊技制御手段からの情報にもとづいて前記第１識別情報の可変表示および前記第２識別情報の可変表示に対応した演出を実行する演出装置を制御する演出制御手段と、を備え、
前記遊技制御手段は、
前記第１識別情報の可変表示に関する情報を、保留記憶として記憶する第１保留記憶手段と、
前記第２識別情報の可変表示に関する情報を、保留記憶として記憶する第２保留記憶手段と、
前記有利状態に制御するか否かを決定する決定手段と、
前記決定手段の決定前に、前記有利状態に制御されるか否かを判定する判定手段と、
前記第１保留記憶手段または前記第２保留記憶手段が記憶する保留記憶が増加したことを特定可能な情報、および前記判定手段の判定結果を示す情報を送信する情報送信手段と、
前記決定手段の決定結果にもとづいて、前記第１識別情報の可変表示または前記第２識別情報の可変表示を実行可能な可変表示実行手段と、
前記第２始動領域を遊技媒体が通過する頻度を高めた状態である高頻度状態に制御可能な高頻度状態制御手段と、を含み、
前記可変表示実行手段は、前記第１識別情報の可変表示と比較して、前記第２識別情報の可変表示を優先して実行し、
前記演出制御手段は、
前記判定手段の判定結果を示す情報にもとづいて、前記有利状態に制御される可能性を予告する予告演出を、前記判定手段による判定の対象となった可変表示が開始される以前に実行するように制御し、
前記高頻度状態に制御されている場合には、前記第１識別情報の可変表示にもとづいて前記有利状態に制御される可能性を予告する予告演出を実行しないように制御し、
前記第１保留記憶手段または前記第２保留記憶手段が記憶する保留記憶が増加したことを特定可能な情報を正常に受信した場合であっても、少なくとも前記判定手段の判定結果を示す情報を取りこぼしたことを含む前記判定手段の判定結果を示す情報を正常に受信できなかった場合には、前記有利状態に制御される可能性を予告する予告演出の実行を制限する予告演出制限手段をさらに含む
ことを特徴とする遊技機。
【手続補正２】
【補正対象書類名】明細書
【補正対象項目名】０００１
【補正方法】変更
【補正の内容】
【０００１】
本発明は、第１始動領域を遊技媒体が通過したことにもとづいて第１識別情報の可変表示を行い、第２始動領域を遊技媒体が通過したことにもとづいて第２識別情報の可変表示を行い、遊技者にとって有利な有利状態に制御可能なパチンコ遊技機等の遊技機に関する。
【手続補正３】
【補正対象書類名】明細書
【補正対象項目名】００１１
【補正方法】変更
【補正の内容】
【００１１】
（手段１）本発明による遊技機は、第１始動領域（例えば、第１始動入賞口１３）を遊技媒体（例えば、遊技球）が通過したことにもとづいて第１識別情報（例えば、第１特別図柄）の可変表示を行い、第２始動領域（例えば、第２始動入賞口１４）を遊技媒体が通過したことにもとづいて第２識別情報（例えば、第２特別図柄）の可変表示を行い、遊技者にとって有利な有利状態（例えば、大当り遊技状態）に制御可能な遊技機であって、遊技の進行を制御する遊技制御手段（例えば、遊技制御用マイクロコンピュータ５６０）と、遊技制御手段からの情報にもとづいて第１識別情報の可変表示および第２識別情報の可変表示に対応した演出を実行する演出装置を制御する演出制御手段（例えば、演出制御用マイクロコンピュータ１００）と、を備え、遊技制御手段は、第１識別情報の可変表示に関する情報を、保留記憶として記憶する第１保留記憶手段（例えば、図２１に示す第１保留記憶バッファ）と、第２識別情報の可変表示に関する情報を、保留記憶として記憶する第２保留記憶手段（例えば、図２１に示す第２保留記憶バッファ）と、有利状態に制御するか否かを決定する決定手段と、決定手段の決定前に、有利状態に制御されるか否かを判定する判定手段（例えば、遊技制御用マイクロコンピュータ５６０におけるステップＳ１２１７Ａ，Ｓ１２１７Ｂを実行する部分）と、第１保留記憶手段または第２保留記憶手段が記憶する保留記憶が増加したことを特定可能な情報（例えば、保留記憶数加算指定コマンド）、および判定手段の判定結果を示す情報（例えば、図柄指定コマンド、変動カテゴリコマンド）を送信する情報送信手段（例えば、遊技制御用マイクロコンピュータ５６０におけるステップＳ１２１８Ａ，Ｓ１２１９Ａ，Ｓ１２２０Ａ，Ｓ１２１８Ｂ，Ｓ１２１９Ｂ，Ｓ１２２０Ｂを実行する部分）と、決定手段の決定結果にもとづいて、第１識別情報の可変表示または第２識別情報の可変表示を実行可能な可変表示実行手段（例えば、遊技制御用マイクロコンピュータ５６０におけるステップＳ５２〜Ｓ５４を実行して、ステップＳ１０８，Ｓ１２１，Ｓ１１２５，Ｓ１１２６，Ｓ１１２８，Ｓ３２０１〜Ｓ３２０４を実行する部分）と、第２始動領域を遊技媒体が通過する頻度を高めた状態である高頻度状態（例えば、高ベース状態）に制御可能な高頻度状態制御手段（例えば、遊技制御用マイクロコンピュータ５６０におけるステップＳ１６８を実行する部分）と、を含み、可変表示実行手段は、第１識別情報の可変表示と比較して、第２識別情報の可変表示を優先して実行し、演出制御手段は、判定手段の判定結果を示す情報にもとづいて、有利状態に制御される可能性を予告する予告演出を、判定手段による判定の対象となった可変表示が開始される以前に実行するように制御し（例えば、演出制御用マイクロコンピュータ１００におけるステップＳ６０１７，Ｓ６０１８，Ｓ８１０８を実行する部分）、高頻度状態に制御されている場合には、第１識別情報の可変表示にもとづいて有利状態に制御される可能性を予告する予告演出を実行しないように制御し（例えば、演出制御用マイクロコンピュータ１００は、ステップＳ６００８でＹのときステップＳ６０１０ＡでＮであれば、ステップＳ６０１０Ｂに移行することなく、ステップＳ６０２０に移行する）、第１保留記憶手段または第２保留記憶手段が記憶する保留記憶が増加したことを特定可能な情報を正常に受信した場合であっても、少なくとも判定手段の判定結果を示す情報を取りこぼしたことを含む判定手段の判定結果を示す情報を正常に受信できなかった場合には、有利状態に制御される可能性を予告する予告演出の実行を制限する予告演出制限手段（例えば、演出制御用マイクロコンピュータ１００におけるステップＳ６００４で保留記憶数加算指定コマンドを取りこぼしてＮと判定したときにステップＳ６０３３を実行して先読み予告設定制限期間を開始し、ステップＳ８００２でＹのときにステップＳ８００５を実行して先読み予告設定制限期間を終了する部分）をさらに含むことを特徴とする。そのような構成により、高頻度状態に制御されている場合には、第１識別情報の可変表示にもとづいて予告演出を実行しないように制御するので、有利状態に制御されると判定された第１識別情報の可変表示をストックした状態で第２識別情報の可変表示を連続して実行することを不可能とし、遊技者の射幸心を過度に煽ってしまうことを防止することができる。